【手続補正書】
【提出日】平成19年1月26日(2007.1.26)
【手続補正１】
【補正対象書類名】明細書
【補正対象項目名】全文
【補正方法】変更
【補正の内容】
【書類名】          明細書
【発明の名称】      苗移植機
【特許請求の範囲】
【請求項１】  機体の前側部の側方に設ける予備苗用苗載枠を支持する支持装置を設け、該支持装置は、上下方向に立設する前後の支持フレ−ムを上部で接続して側面視でア−チ状に形成すると共に、前側の支持フレ−ムの少なくともその一部を後側の支持フレ−ムより左右横方向の内側に変位するよう屈曲形成してあることを特徴とする苗移植機。
【請求項２】  前側の支持フレームの下端部をバンパーフレーム２０に装着し、後側の支持フレームをフロントアクスルケースに装着したことを特徴とする請求項１に記載の苗移植機。
【発明の詳細な説明】
【０００１】
【発明の属する技術分野】
この発明は、予備苗の苗載枠を具備する田植機や野菜移植機などの苗移植機に関し、農業機械の技術分野に属する。
【０００２】
【従来の技術】
従来、田植機において、機体の前側位置の左右に予備苗を載置する予備苗用苗載枠が設置されたものがあり、苗植付部の苗載タンク内に苗がなくなると、この苗載枠上の予備苗を順次補給するようにしている。そして、その予備苗用苗載枠を、上下方向に立設する前後の支持フレ−ムにより支持したものがある。
【０００３】
【発明が解決しようとする課題】
苗載枠を支持する従来の支持構造では、前後の支持フレ−ムにより予備苗用苗載枠を支持するものであるので、支持フレ−ムの軽量化を図ると、支持フレ−ム自体が強度不足になるおそれがあった。
【０００４】
また、機体旋回時などにはこの支持フレ−ムが畦畔などに激突するおそれがあり、不慮の破損を招き、前記支持フレ−ムの強度が低下するおそれがある。また、苗供給容易化のため予備苗用苗載枠を略水平方向に回動させて移動させられる構成としたとき、その移動機構にかかる荷重が極端に変化すると、前記移動機構が強度不足となるおそれがある。
【０００５】
本発明は、かかる課題を解決すべく、苗載枠支持強度の向上を図ることを目的とする。
【０００６】
【課題を解決するための手段】
この発明は、上記課題を解決すべく次のような技術的手段を講じた。
すなわち、本発明における課題解決のための第１の具体的手段は、機体の前側部の側方に設ける予備苗用苗載枠を支持する支持装置を設け、該支持装置は、上下方向に立設する前後の支持フレ−ムを上部で接続して側面視でア−チ状に形成すると共に、前側の支持フレ−ムの少なくともその一部を後側の支持フレ−ムより左右横方向の内側に変位するよう屈曲形成してあることを特徴とする苗移植機とした。これによって、上下方向の前後のフレ−ムが平行でないため、フレ−ム自体の剛性がより強化され、苗載枠を安定よく支持することができる。また、前側の支持フレ−ムは後側の支持フレ−ムより機体側内方に屈曲変位してあるので、機体の旋回半径を小さくできて、旋回時に畦などに激突して破損を招くなどの危険性も少なくなる。
【０００７】
本発明における課題解決のための第２の具体的手段は、前側の支持フレームの下端部をバンパーフレーム２０に装着し、後側の支持フレームをフロントアクスルケースに装着したことを特徴とする請求項１に記載の苗移植機とした。
【０００８】
【発明の効果】
以上要するに、上下方向に立設する前後の支持フレ−ムを上部で接続して側面視でア−チ状に形成し、前側の支持フレ−ムの少なくともその一部を後側の支持フレ−ムより左右横方向の内側に変位するよう屈曲形成してあるので、フレ−ム自体の剛性がより強化され、苗載枠を安定よく支持することができる。しかも、前側の支持フレ−ムは後側の支持フレ−ムより機体側内方に屈曲変位してあることから、機体の旋回半径を小さくすることでき、この前側支持フレ−ムが旋回時に畦などに激突して破損を招くなどの危険性も少なくなる。
【０００９】
【発明の実施の形態】
この発明の実施例を図面に基づき説明する。
図１及び図２は、６条植田植機を示すものであり、車体１の前後には走行車輪としての左右一対の前輪２，２及び後輪３，３が架設されている。車体上前部に操作ボックス４及びステアリングハンドル５等を有する操縦装置６が設置され、車体後方部には昇降可能な苗植付部７が装備されている。操縦装置６の後側に運転席８が設置され、運転席の下側に田植機の各部に動力を伝達するエンジン９が搭載されている。
【００１０】
苗植付部７は、左右に往復動する苗載タンク１０、１株分の苗を切取って土中に植込む植込杆１１を有する２条植用植付装置１２，１２，１２、苗植付面を整地するフロ−ト１３等からなる。
【００１１】
車体１の前側部で操縦装置６の左右両側方には予備苗を載置する苗載枠１４，１４を配設している。この苗載枠１４は車体１側から上方に突設する支持装置１５によって支持している。
【００１２】
前記支持装置１５は、上下方向に立設する前後の支持フレ−ム１５ａ，１５ｂとこれらの上端部が側面視でア−チ状に連続するア−チ状支持フレ−ム１５ｃとからなり、そして、後側支持フレ−ム１５ｂは補助支持フレ−ム１６及び取付部材１７を介してフロントアクスルケ−ス１８に装着支持してあり、前側支持フレ−ム１５ａは、少なくともその一部が後側の支持フレ−ム１５ｂより左右横方向の内側に変位するよう屈曲形成してあると共に、その下端部をバンパ−１９のバンパ−フレ−ム２０に装着支持している。
【００１３】
また、前記苗載枠１４は、上下方向の支軸２１回りに回動固定自在に装着してあって、田植作業時には苗載枠１４を支軸２１を回動支点として外側に回動させ、路上走行時には機体側に回動させて収納状態に姿勢変更する構成である。そして、前記支軸２１は後側支持フレ−ム１５ｂの上端近くに設定し、且つ、該フレ−ム１５ｂの上端部に固着したコの字型ヒッチ部２１ａに架設することにより軸受部を強固に保持する構成としている。従って、この苗載枠１４を上下方向の軸芯回りに回動させる回動支点を、前後の支持フレ−ム１５ａ，１５ｂのうちのいずれか一方側の上端若しくはその上端近くに設定してある。これにより、苗載枠１４の回動支点部が一方側の支持フレ−ムに主として支持されるので、前記回動支点部が安定して支持されることとなり、該回動支点部の強度アップを図ることができ、苗載枠１４を安定性よく保持することができる。
【００１４】
バックミラ−２２は前側支持フレ−ム１５ａ側に装着支持するように設けている。そのため、苗載枠１４の回動に関係なく、バックミラ−方向を一定にすることができる。しかも、苗載枠１４の前側支持フレ−ム１５ａに取付けることでバックミラ−２２を高い位置に装着できるので、苗植付部７の苗載タンク１０に邪魔されず、後方確認が容易にできる。また、バックミラ−２２は前側支持フレ−ム１５ａの上方に位置するので、前方からの乗り降り時の邪魔にもならない特徴を有している。
【００１５】
尚、機体の進行方向を示すための方向指示ランプを前述のバックミラ−２２と同様に前側支持フレ−ム１５ａ側に装着すると、苗載枠１４の回動に関係なく前記方向指示ランプの位置が一定となると共に、方向指示ランプを高い位置に装着できるので、苗植付部７の苗載タンク１０に邪魔されず、機体の後方からの視認性もよい。また、前方からの乗り降り時の邪魔にもならない。
【００１６】
線引マ−カ２３は、マ−カ部２３ａとマ−カア−ム２３ｂからなり、基端部が上下方向の縦軸２４回りに回動可能で、且つ、途中部が前後方向のピン軸２５回りに昇降可能に構成されている。
【００１７】
サイドマ−カ２６は、マ−カ部２６ａとマ−カア−ム２６ｂとからなり、上下方向の縦軸２７回りに回動可能で、且つ、マ−カ部２６ａが前記線引マ−カ２３の昇降支点部（ピン軸２５）より外側に位置するよう配置している。
【００１８】
従って、線引マ−カ２３の収納時、つまり、マ−カ部２３ａをピン軸２５回りに上昇回動させた時、サイドマ−カ２６を縦軸２７回りに回動させて機体側内方へ支障なく容易に収納することができる。
なお、前記線引マ−カ２６は、ワイヤ−２８を引き操作すると上昇回動し、この引き操作を緩めるとスプリング２９を介して下降回動するよう操作連動可能に構成している。
【００１９】
苗植付作業時には、苗載タンク１０に土付マット状苗を収納載置して車体１を走行し、苗植付部７を牽引しながら各部を回転駆動する。すると、苗植付部７は、下部のフロ−ト１３で土壌表面に支持されて滑走されながら、左右往復移動する苗載タンク１０から植込杆１１が一株分ずつの苗を分割して土壌表面に植付けて行く。このようにして、一行程の走行で６条列の苗植付け作業が行われる。
【００２０】
苗載タンク１０内に苗が無くなると、予備苗用苗載枠１４上に載置してある予備苗を苗箱から取り出して苗載タンク１０上に補給する。
【図面の簡単な説明】
【図１】田植機の側面図
【図２】田植機の平面図
【図３】同上要部の側面図
【図４】同上要部の平面図
【図５】同上要部の正面図
【図６】同上要部の側面図
【図７】同上要部の平面図
【図８】別実施例要部の斜視図
【図９】別実施例要部の背面図
【図１０】同上要部の斜視図
【符号の説明】
１：車体、１４：苗載枠、１５：苗載枠支持装置、１５ａ：  前側支持フレ−ム、１５ｂ：後側支持フレ−ム、１５ｃ：ア−チ状支持フレ−ム、１８：フロントアクスルケ−ス、２０：バンパ−フレ−ム